(57)【特許請求の範囲】
【請求項１】
筒状の水栓本体と、この水栓本体の内部に設けられた接続管との二重管構造を備え、さらに、前記接続管よって切替ユニットおよび温調ユニットが接続されるとともに、外管としての前記水栓本体および内管としての前記接続管間に、切替ユニット側から温調ユニット側に水を導入する環状の水導入路が形成される一方、切替ユニット側の弁機構に混合水、水、または、湯を供給する供給流路が前記接続管によって形成され、前記水栓本体を手すりに兼用させてあることを特徴とする手すり型水栓。
【請求項２】
筒状の水栓本体と、この水栓本体の内部に設けられた接続管との二重管構造を備えた手すり型水栓であって、水栓本体の一端には、水、湯、または混合水の吐出状態と止水状態を切り替えるための切替ハンドルが設けられ、水栓本体の他端には、混合水の温度調節を行うための温調ハンドルが設けられ、前記接続管よって、切替ハンドルに接続可能な切替ユニットおよび温調ハンドルに接続可能な温調ユニットが接続され、外管としての前記水栓本体および内管としての前記接続管間に、切替ユニット側から温調ユニット側に水を導入する環状の水導入路が形成される一方、前記接続管は湯水混合室の一部を構成するとともに、温調ユニット側から、切替ユニット側の弁機構に混合水、水、または、湯を供給する供給流路が前記接続管によって形成され、前記水栓本体を手すりに兼用させてあることを特徴とする手すり型水栓。
【請求項３】
水栓本体は、接続管を内蔵した水栓本体部分と、切替ユニットを内蔵した水栓本体部分と、温調ユニットを内蔵した水栓本体部分とよりなるとともに、切替ユニットを内蔵した前記水栓本体部分の内側に筒状の外ケースが固定され、この外ケースの内側に内ケースが固定される一方、切替ユニット側の前記弁機構は、前記内ケースに内蔵されており、さらに、前記弁機構は、内ケース内部に胴部を介して固定された筒状の連通部材と、この連通部材によって覆われる胴部を有し、水栓本体の軸方向のまわりに回動して水、湯、または混合水の流路を吐水管接続口またはシャワーホース接続口に切替えて連通させる筒状の回動部材とを有する請求項１または請求項２に記載の手すり型水栓。
【請求項４】
前記連通部材は前記吐水管接続口に連通する第１の連通穴と前記シャワーホース接続口に連通する第２の連通穴を胴部に有し、前記回動部材は切替ハンドルの切替え操作により前記第１の連通穴と第２の連通穴のいずれかに連通するよう胴部を切欠いて形成された切欠穴を有する請求項３に記載の手すり型水栓。
【発明の詳細な説明】
【０００１】
【発明の属する技術分野】
この発明は、水栓本体を筒状に形成して手すりに兼用させてある新規な手すり型水栓に関するものである。
【０００２】
【従来の技術および発明が解決しようとする課題】
図１４に示すように、浴室７７の例えば洗い場に位置する壁Ｗの下部に、例えば切替コック７１の切替操作により吐水管接続口７２またはシャワーホース接続口７３に切り替えて水、湯、または混合水を吐水管７４またはシャワーホース７５に供給するサーモ型湯水混合水栓７６が横置き状態で設置されるとともに、浴室７７内での動作を補助する目的で浴槽側のみならず洗い場側の壁にも手すり（図示せず）が設置されているものがあるけれども、ただでさえ狭い浴室７７の洗い場が手すりに邪魔されて狭くなる上に手すりに体が当たることがあった。
【０００３】
この発明は、浴室のスペースを有効に活用できるとともに、バリアフリーとしても有用な手すり型水栓を提供することを目的とする。
【０００４】
【課題を解決するための手段】
上記目的を達成するために、この発明は、筒状の水栓本体と、この水栓本体の内部に設けられた接続管との二重管構造を備え、さらに、前記接続管よって切替ユニットおよび温調ユニットが接続されるとともに、外管としての前記水栓本体および内管としての前記接続管間に、切替ユニット側から温調ユニット側に水を導入する環状の水導入路が形成される一方、切替ユニット側の弁機構に混合水、水、または、湯を供給する供給流路が前記接続管によって形成され、前記水栓本体を手すりに兼用させてあることを特徴とする（請求項１）。
【０００５】
また、この発明は別の観点から、筒状の水栓本体と、この水栓本体の内部に設けられた接続管との二重管構造を備えた手すり型水栓であって、水栓本体の一端には、水、湯、または混合水の吐出状態と止水状態を切り替えるための切替ハンドルが設けられ、水栓本体の他端には、混合水の温度調節を行うための温調ハンドルが設けられ、前記接続管よって、切替ハンドルに接続可能な切替ユニットおよび温調ハンドルに接続可能な温調ユニットが接続され、外管としての前記水栓本体および内管としての前記接続管間に、切替ユニット側から温調ユニット側に水を導入する環状の水導入路が形成される一方、前記接続管は湯水混合室の一部を構成するとともに、温調ユニット側から、切替ユニット側の弁機構に混合水、水、または、湯を供給する供給流路が前記接続管によって形成され、前記水栓本体を手すりに兼用させてあることを特徴とする手すり型水栓を提供する（請求項２）。
【０００６】
この発明において、水栓本体は、接続管を内蔵した水栓本体部分と、切替ユニットを内蔵した水栓本体部分と、温調ユニットを内蔵した水栓本体部分とよりなるとともに、切替ユニットを内蔵した前記水栓本体部分の内側に筒状の外ケースが固定され、この外ケースの内側に内ケースが固定される一方、切替ユニット側の前記弁機構は、前記内ケースに内蔵されており、さらに、前記弁機構は、内ケース内部に胴部を介して固定された筒状の連通部材と、この連通部材によって覆われる胴部を有し、水栓本体の軸方向のまわりに回動して水、湯、または混合水の流路を吐水管接続口またはシャワーホース接続口に切替えて連通させる筒状の回動部材とを有するのが好ましい（請求項３）。また、この発明において、前記連通部材は前記吐水管接続口に連通する第１の連通穴と前記シャワーホース接続口に連通する第２の連通穴を胴部に有し、前記回動部材は切替ハンドルの切替え操作により前記第１の連通穴と第２の連通穴のいずれかに連通するよう胴部を切欠いて形成された切欠穴を有するのが好ましい（請求項４）。
【０００７】
【発明の実施の形態】
以下にこの発明の実施の形態について説明する。なお、この発明はそれによって限定されるものではない。
【０００８】
図１、図２は、浴室の洗い場に位置する壁に横置き状態で設置して手すりに兼用できるように構成したこの発明の第１の実施形態を示す。
【０００９】
図１、図２において、１は、浴室６０の洗い場に位置する壁で、サーモ型湯水混合水栓（以下、水栓という）２が横置き水平状態で設置されている。
【００１０】
前記水栓２の水栓本体３は、筒状で、この実施形態では大径部４と小径部５よりなる。水栓本体３は、金属製で、小径部５の背面側に、湯配管６に連通する湯接続口７を有するとともに、大径部４の背面側に、水配管８に連通する水接続口９を有する。湯接続口７と水接続口９は間隔Ｂを有して位置する。また、水栓本体３は、大径部４の下側に、水、湯、または混合水の吐水管接続口１０を有するとともに、大径部４の背面側に、シャワーホース接続口１１を有する。
この実施形態では、大径部４に後述する切替ユニット１４が位置するとともに、小径部５に後述する接続管１６および温調ユニット１５が位置する構成を採用している。大径部４の外径は例えば４６ｍｍであり、小径部５の外径ｒは、浴室、シャワルームに設置される手すりとして規格に合った例えば３４ｍｍに設定されている。切替ユニット１４を大径部４に位置させるのは、切替ユニット１４に内蔵されている弁機構２３，２４が温調ユニット１５に内蔵されている温調機構よりも大きいからである。
【００１１】
また、前記水栓本体３には、一端に、水、湯、または混合水の吐出状態と止水状態を切り替えるための切替ハンドル１２が設けられる一方、他端に、混合水の自動温度調節を行うための温調ハンドル１３が設けられている。
【００１２】
前記切替ハンドル１２は、その操作により、流量調節可能に、かつ水、湯、または混合水を、吐水管（図示せず）またはシャワーホース（図示せず）に切り替えて供給するように構成されている。
【００１３】
更に、前記水栓本体３内には、切替ハンドル１２と接続可能な切替ユニット１４と、温調ハンドル１３と接続可能な温調ユニット１５とが装入されている。
【００１４】
前記切替ユニット１４は、その内部に、切替ハンドル軸２２とともに回転するセラミック製可動ディスク２３と、セラミック製固定ディスク２４とが収納され、切替ハンドル１  ２の水栓本体軸線方向（両矢印Ｘで示す方向）まわりの回動操作によって可動ディスク２３が回動し、可動ディスク２３と固定ディスク２４内に設けた長孔（図示せず）同士が整合することで、前記吐水管接続口１０、または、シャワーホース接続口１１への水、湯、または混合水の供給と停止が行われる。前記可動ディスク２３と固定ディスク２４は、水、湯、または混合水を吐水管接続口１０、または、シャワーホース接続口１１へ供給したり、停止したりする開閉機能を持つ弁機構を構成する。可動ディスク２３と固定ディスク２４は、内部に所定の大きさの長孔を設けることから、大径となり、３４ｍｍ径の小径部５には可動ディスク２３と固定ディスク２４を含む弁機構を収容できない。そのため、この実施形態では、水栓本体３を大径部４と小径部５で構成している。
【００１５】
また、前記温調ユニット１５は、サーモワックスを内蔵したサーモエレメント２５とピストン２６を具備し、そのサーモエレメント２５が混合水の温度を感温するとサーモワックスが膨張してピストン２６を押し出し、サーモバルブ本体３２の位置を変化させることにより、給水側通路２７と給湯側通路２８のすき間が調整されるようになっており、温調ハンドル１３によって混合水の温度を任意に設定することができる。
【００１６】
温調ユニット１５の自動温度調節動作は以下の通りである。
温調ハンドル１３を前記Ｘ方向まわりに回動させて所定温度に設定すると、湯と水が湯水混合室Ｓで混合され、所定温度の混合水が吐水管またはシャワーホースへ流れる。前記Ｘ方向は水栓本体３の長手方向に沿った方向である。
【００１７】
そして、混合水の温度が所定温度より上昇した場合、これをサーモエレメント２５が感温してサーモエレメント２５内のサーモワックスが膨張してサーモエレメント２５を温調ハンドル１３の側に移動させ、サーモバルブ本体３２が給湯側通路２８を狭めて給水側通路２７を広げる。これにより、混合水の温度が下がり、所定温度に調節できる。一方、混合水の温度が所定温度より降下した場合、これをサーモエレメント２５が感温してサーモエレメント２５内のサーモワックスが収縮してサーモエレメント２５を切替ハンドル１２の側に移動させサーモバルブ本体３２が給湯側通路２８を広げて給水側通路２７を狭める。これにより、混合水の温度が上がり、所定温度に調節できる。
【００１８】
以下、この発明の特徴的構成について説明する。
１６は、筒状の水栓本体３の内部に設けた接続管で、切替ユニット１４の端部１４ａと温調ユニット１５の端部１５ａとを接続する。すなわち、水栓２は、水栓本体３（外管）と接続管１６（内管）の二重管構造を有し、両者３，１６間に、切替ユニット１４側から温調ユニット１５側に水を導入する環状の水導入路ｊが構成される。外管としての前記水栓本体３はこの水導入路ｊによって、混合水、水、または、湯を供給する供給流路ｉ（後述する）と断熱され、熱くなることはない。
【００１９】
そして、内管としての前記接続管１６は、前記湯水混合室Ｓの一部を構成するとともに、接続管１６によって温調ユニット１５側から切替ユニット１４側の前記弁機構２３，２４に混合水、水、または、湯を供給する供給流路ｉが形成される。
【００２０】
３３は、手すりとしてより効果的に機能させるための環状のスベリ止め部材で、筒状の水栓本体３の中央部に設けてある。このスベリ止め部材３３は、接続管１６に対応する位置にある小径部５の外表面３ａに薄くコーティングされたエラストマー樹脂よりなる。そして、スベリ止め部材３３で覆われた前記小径部５の握り径（外径）ｒは、規格に合った例えば３４ｍｍに設定され、しっかり握れるよう構成されている。なお、スベリ止め部材としては、シリコン系のゴム材でもよく、また、軟質塩化ビニール等の樹脂よりなる半硬質部材でもよい。そして、接続管１６、接続管１６に対応する位置にある外径が３４ｍｍ径の小径部５およびスベリ止め部材３３とから手すりＴが構成される。
なお、スベリ止め部材３３に抗菌剤を添加することにより、雑菌の繁殖を防ぐことができる。
【００２１】
すなわち、図１４に示した従来型のサーモ型湯水混合水栓７６では水栓本体７８に装入されている切替ユニットと温調ユニットとは端部同士を直接接続されていたのに対し、この発明では、手すりの位置を確保するために、従来の前記水栓本体７８を更に長手方向に長くする必要があり、手すりＴの長さＡよりも若干長い長さを持つ前記接続管１６を導入し、この接続管１６で切替ユニット１４の端部１４ａと温調ユニット１５の端部１５ａとを接続している。
【００２２】
また、この実施形態では前記湯配管６と水栓本体３の前記湯接続口７とを連通する湯連通管３５を樹脂製カバー３６で被覆するとともに、前記水配管８と水栓本体３の前記水接続口１１を連通する水連通管３７を樹脂製カバー３６と同一構造の樹脂製カバー３８で被覆してある。前記湯連通管３５と水連通管３７とは同一構造であるので湯連通管３５について説明する。
【００２３】
すなわち、前記湯連通管３５は、浴室６０の洗い場に位置する壁１の前面から前方に突出しており、水栓本体３に対する接続部３９と、湯配管６に対する接続部４０と、両者３９，４０を繋ぐ流量調整栓部４１とより主としてなる。更に、前記接続部３９は、逆止弁３９ａを内蔵し、前記湯配管６と接続部４０とはＬ型継手（エルボ）４２で接続されている。このＬ型継手（エルボ）４２は、壁１に設けた穴４４に固定されている。なお、前記湯連通管３５は、バフ仕上げ抜きのものを使用している。
【００２４】
前記樹脂製カバー３６は、前記湯連通管３５の略全体を被覆するもので、二つの半割り体３６ａ，３６ｂで形成されている。
【００２５】
そして、熱伝導性が小さい前記樹脂製カバー３６で湯連通管３５の略全体を被覆するので、湯連通管３５によるやけどを防止できる。
【００２６】
また、前記樹脂製カバー３６で湯連通管３５の略全体を被覆することから、多少見栄が悪いバフ工程抜きの連通管を水連通管３７にも使用でき、バフ仕上げを施した連通管において多々あるように、バフ仕上げが原因で不良製品を量産して歩留りが発生するような事態を回避できる。
【００２７】
また、図示はしないが、半割り体３６ａ，３６ｂは、水抜き穴を有する。そのため、シャワー使用時等には、樹脂製カバー３６内に溜まった湯水を水抜き穴で樹脂製カバー３６の外に常時排出でき、長寿命性を保持できるとともに、衛生面でも有効である。
【００２８】
而して、水栓本体３を筒状に形成して手すりに兼用させたので、浴室６０内での動作を補助できる。
【００２９】
また、浴室６０の壁１に新たに手すりを設ける必要がなくなり、浴室６０のスペースを有効に活用できるとともに、手すりに体が当たるといった事態も回避できバリアフリーとしても有効である。
【００３０】
図３、図４は、中央部に設けた手すりＴを含む筒状の水栓本体３をの外径を３４ｍｍに設定してあるこの発明の第２の実施形態を示す。なお、図３、図４において、図１、図２に示す符号と同一のものは同一または相当物である。
【００３１】
この実施形態では水栓本体３を、正面向かって左側に位置する温調ユニット部４５と、正面向かって右側に位置する切替ユニット部４６と、両部４５，４６の中間に位置する手すりＴとより構成するとともに、温調ユニット部４５のみならず切替ユニット部４６の外径を手すりＴと略同一の３４ｍｍになるよう構成してある。これにより、上記第１の実施形態では手すりＴと大径部４間に段差があったが、この第２の実施形態では段差がなくなり見栄えがする。
そして、前記温調ユニット部４５は、背面側に湯配管６（図１参照）に連通する湯接続口７を有する。また、前記切替ユニット部４６は、背面側に水配管８（図１参照）に連通する水接続口９を有する。また、前記切替ユニット部４６は、下側に、水、湯、または混合水の吐水管接続口１０を有するとともに、背面側に、シャワーホース接続口１１を有する。
また、水栓２は、切替ハンドル１２の操作により、吐水管接続口１０またはシャワーホース接続口１１に切り替えて水、湯、または混合水を、吐水管４８またはシャワーホース４９に供給する。切替ハンドル１２は、有底筒状で、手指が引っ掛かるための複数の突起１２ａを円周表面に有する。一方、混合水の自動温度調節を行うための温調ハンドル１３も、有底筒状で、手指が引っ掛かるための複数の突起１３ａと一つの押しボタン１３ｂを円周表面に有する。この押しボタン１３ｂを押さないとき湯側に温調ハンドル１３を回した最大の位置で湯温度が４０℃に設定されており、押しボタン１３ｂを押して温調ハンドル１３を回すことで４０℃よりも温度の高い湯温度に設定できるよう構成されている。５０は、コラム状のシャワヘッドである。
【００３２】
図５、図６は、水栓本体５１を縦部分５２と横部分５３よりなるＬ字型に形成し、縦部分５２と横部分５３をそれぞれ手すりとして機能するよう構成してあるこの発明の第３の実施形態を示す。なお、図５、図６において、図１〜図４に示す符号と同一のものは同一または相当物である。
【００３３】
図５、図６において、この実施形態の水栓１５３は、上記各実施形態で示したようなサーモ型湯水混合水栓ではなく、シングルレバー式の水栓と同様の機能を有する水栓である。すなわち、水栓１５３は、筒状の水栓本体５１の一端に回動自在に設けられた流量調節部材５４を横部分５３の一端で横部分５３の軸方向回りに回動自在に有する。この流量調節部材５４は、水、湯、または混合水の流量調節以外に、水、湯、または混合水の吐水状態・止水状態の切替機能と、湯温調節機能の三つの機能を兼ねることができるよう構成されている。一方、吐水管接続口１０またはシャワーホース接続口１１’に切り替えて水、湯、または混合水を、吐水管４８またはシャワーホース４９に供給するための切替部材５４’が横部分５３に設けられている。
【００３４】
前記水栓本体５１は、前記横部分５３に、湯配管および水配管に連通する湯接続口および水接続口を樹脂製カバー３８’に対応する位置に有するとともに、水、湯、または混合水の吐水管接続口１０を有する一方、前記縦部分５２の上端部５２ａにシャワーホース接続口１１’を有し、浴室６０の壁１に設置されている。
【００３５】
すなわち、この第３の実施形態では、上記各実施形態で用いた樹脂製カバー３６，３８と同じ大きさの樹脂製カバー３８’に覆われる程度に湯連通管および水連通管が近接して配置され、これに伴い湯配管および水配管もその取り出し開口は、図１、図４で示したような長い間隔Ｂを有して湯配管６および水配管８の取り出し開口が位置するようなものではなく、本出願人が出願した特開平９−３１６９４６号公報に記載してある湯・水導入口５３’を採用している。この湯・水導入口５３’には、図６に示すように、湯導入路７’と水導入路９’が並設された嵌込部材５３ａが嵌込まれる。
【００３６】
そして、前記水栓本体５１は、前記縦部分５２の略中間位置における外表面と前記横部分５３の略中間位置における外表面に滑り難く握り易いようにエラストマー樹脂のスベリ止め部材５６，５７がコーティングされてなる手すりＴ’，Ｔ’’を有する。
【００３７】
このシングルレバー式の水栓１５３は、前記切替部材５４’の操作により、前記吐水管接続口１０またはシャワーホース接続口１１’に切り替えて水、湯、または混合水を、吐水管４８またはシャワーホース４９に供給する。
【００３８】
前記横部分５３内には、前記流量調節部材５４と接続可能な弁部材が装入されている。そして、吐水管接続口１０は、切替部材５４’を介して前記弁部材の導出口と連通される一方、前記水栓本体５１内部において水、湯、または混合水を供給するためのＬ字型の接続管（図示せず）の上端が前記シャワーホース接続口１１’に接続され、かつ、前記Ｌ字型の接続管（図示せず）の下端が切替部材５４’を介して前記弁部材の導出口と連通している。
また、前記可動ディスクは、流量調節部材５４の回動操作に連動して回転する。
【００３９】
５８は、前記横部分５３に設けた取付部５８’を介して水栓本体５１を壁１１に取り付けるための取付部材である。５９は、前記縦部分５２に設けた取付部５９’を介して水栓本体５１を壁１１に取り付けるための取付部材である。
なお、前記流量調節部材５４は手指が引っ掛かるための複数の突起５４ｃを有する一方、前記切替部材５４’は、手指が引っ掛かるための複数の突起５４ｃ’を有する。
【００４０】
図７は、前記水栓１５３および前記水栓２を、それぞれ浴室６０の洗い場６０ａ側に位置する壁１および浴室６０の浴槽６０ｂ側に位置する壁１ａに設置してあるこの発明の第４の実施形態を示す。なお、図７において、図１〜図６に示す符号と同一のものは同一または相当物である。
【００４１】
前記水栓２は浴槽６０ｂ内に水、湯、または混合水を供給するよう壁１ａに設置してある。また、前記水栓１５３は、シャワヘッド５０を備え、洗い場６０ａ側に位置する壁１に設置してある。また、洗い場６０ａ側の別の壁１ｃには適宜な高さ位置に手すり６１が設置されている。
【００４２】
そして、水栓２の筒状の水栓本体３はエラストマー樹脂のスベリ止め部材３３をコーティングしてある手すりＴを有するので、別途手すりを設けなくても浴槽６０ｂに入るときや浴槽６０ｂから出るときの動作を補助でき、浴室６０のスペースを有効に活用できるとともに、手すりに体が当たるといった事態も回避できバリアフリーとしても有効である。
【００４３】
また、水栓１５３の、筒状でＬ字型の水栓本体５１は、エラストマー樹脂のスベリ止め部材５６，５７をコーティングしてある手すりＴ’，Ｔ’’を有するので、別途手すりを設けなくても洗い場６０ａでの動作を補助でき、浴室６０のスペースを有効に活用できるとともに、手すりに体が当たるといった事態も回避できバリアフリーとしても有効である。
【００４４】
図８は、上下方向に向けた手すり６０（特願平８−１８１２３６号明細書・図面参照）を上記第２の実施形態で用いた前記水栓本体３に連設し、前記手すり６０に沿ってスライドするスライド体６１の一側にシャワーヘッド５０を掛止するためのハンガー６２を設け、更に、前記水栓本体３に設けたシャワーホース接続口１１にシャワーホース４９を接続してあるこの発明の第５の実施形態を示す。なお、図８において、図１〜図７に示す符号と同一のものは同一または相当物である。
【００４５】
手すり６０は、規格に合った例えば３４ｍｍに外径が設定されたステンレス等のパイプからなり、表面には滑り難く握り易いように例えばエラストマー樹脂Ｓがコーティングされている。そして、スライド体６１の他側に操作レバー６３を有する。この操作レバー６３は、スライド体６１の高さ調節のときにスライド体６１の手すり６０への固定を弛めたり、スライド体６１を手すり６０に固定させるためのもので、操作レバー６３を一方向に回転させてスライド体６１の手すり６０への固定を解除する一方、スライド体６１が所定の高さにくると、操作レバー６３を反対方向にまわしてスライド体６１が手すり６０に固定される。
【００４６】
図９〜図１３は、上記第２の実施形態の詳細を示す。すなわち、浴室、シャワルームで使用する水栓本体３の中央部を規格に合った３４ｍｍの握り径（外径）ｒを有する手すりＴに兼用させるとともに、切替ユニット１４が位置する水栓本体３の部分と手すりＴを面一にするために、上記第１の実施形態で用いた前記弁機構２３，２４（図１参照）に替えて、水栓本体３の軸方向のまわりに回動して吐水管接続口１０またはシャワーホース接続口１１に切替え可能に連通する筒状の回動部材を備えた弁機構を用いたこの発明の第６の実施形態を示す。なお、図９〜図１３において、図１〜図８に示す符号と同一のものは同一または相当物である。
【００４７】
図９〜図１３において、接続管１６は、筒状の水栓本体３の内部に設けられており、切替ユニット１４と温調ユニット１５とを接続する。水栓本体３は、接続管１６を内蔵した水栓本体部分３Ｃと、切替ユニット１４を内蔵した水栓本体部分３Ａと、温調ユニット１５を内蔵した水栓本体部分３Ｂとよりなる。水栓本体部分３Ｃは、外表面に薄くコーティングされたエラストマー樹脂よりなるスベリ止め部材３３を有する。水栓本体部分３Ｃと水栓本体部分３Ａはねじ結合されている。また、水栓本体部分３Ｃと水栓本体部分３Ｂもねじ結合されている。
なお、前記スベリ止め部材３３をシリコン系のゴム材で構成してもよい。また、前記スベリ止め部材３３を軟質塩化ビニール等の樹脂よりなる半硬質部材で構成してもよい。
【００４８】
８１は、切替ユニット１４の外ケースで、筒状である。この外ケース１は、筒状の水栓本体部分３Ａの内壁に０リングなどのシール部材８３を介して固定されている。８２は、切替ユニット１４の内ケースで、筒状である。この内ケース８２は、外ケース８１の内壁に０リングなどのシール部材８３を介して固定されている。
【００４９】
切替ユニット１４は、水、湯、または混合水を吐水管接続口１０、または、シャワーホース接続口１１へ供給したり、停止したりする開閉機能を持つ弁機構を前記内ケース８２の内部に有する。１００は、水栓本体部分３Ａと、水栓本体部分３Ａと同径の筒状の切替表示リング体１０１とを接続する接続部材で、水栓本体部分３Ａの一端に螺合する外ねじ部と、切替表示リング体１０１を外嵌させる嵌合部とを有する。
また、水栓本体部分３Ａは、水接続口９とシャワーホース接続口１１を背面側に有するとともに、吐水管接続口１０を下面側に有する。シャワーホース接続口１１および吐水管接続口１０には、それぞれ、シール部材１０２および１０３を介してシャワーホース用継手１０４および吐水管用継手１０５が接続されている。
【００５０】
一方、温調ユニット１５のサーモエレメント２５は、水栓本体部分３Ｂに内蔵されている外ケース９１内に固定設置されている。
１１０は、水栓本体部分３Ｂと、水栓本体部分３Ｂと同径の筒状の温調表示リング体１１１とを接続するとともに、弁体１１２を内蔵した温調ガイド体で、水栓本体部分３Ｂの中間位置で螺合する外ねじ部と、温調表示リング体１１１を外嵌させる嵌合部とを有する。また、水栓本体部分３Ｂは、湯接続口７を背面側に有する。
【００５１】
前記内ケース８２に内蔵した前記弁機構は、水栓本体３の軸方向のまわりに回動して水、湯、または混合水の流路を吐水管接続口１０またはシャワーホース接続口１１に切替えて連通させる筒状の回動部材８４と、この回動部材８４の胴部を覆うゴム製で筒状の連通部材８５とよりなる。
【００５２】
更に、前記連通部材８５は、内ケース８２内部に胴部を介して固定されており、吐水管接続口１０に連通する連通穴８５ａとシャワーホース接続口１１に連通する連通穴８５ｂを中心角で９０°離れた状態で胴部に有する。
【００５３】
また、前記回動部材８４は、切替ハンドル１２と回動部材８４を接続する切替ハンドル軸２２’とともに回転するよう構成されている。この回動部材８４は、回動部材８４の胴部を切欠いて形成した切欠穴８６を有する。この切欠穴８６は、切替ハンドル１２の切替え操作により前記連通穴８５ａと連通穴８５ｂのいずれかに連通する。図１２は、切欠穴８６が、連通穴８５ａと連通穴８５ｂのいずれにも連通しない状態を示す。
【００５４】
また、切替ユニット１４の端部１４ａと温調ユニット１５の端部１５ａとを接続する接続管１６は、一方端にオス型接続金具８９を有するとともに、他方端にメス型接続金具９３を有し、前記オス型接続金具８９が切替ユニット１４の前記外ケース８１の端部１４ａに内嵌される一方、前記メス型接続金具９３が前記温調ユニット１５の外ケース９１の端部１５ａに外嵌されている。更に、前記端部は１５ａは前記端部１４ａに内嵌可能に構成されている。
【００５５】
また、前記接続金具８９の他端における外周面と接続管１６の一端における内周面とが溶接により接続されている。９０は、その溶接部分である。
一方、前記接続金具９３の他端における内周面と接続管１６の他端における外周面とが溶接により接続されている。９４は、その溶接部分である。
【００５６】
而して、筒状の回動部材８４の胴部に切欠穴８６を設け、連通穴８５ａ，連通穴８５ｂを胴部に有するゴム製で筒状の連通部材８５を、回動部材８４の胴部を覆うよう内ケース８２に固定設置したので、水、湯、または混合水を吐水管接続口１０、または、シャワーホース接続口１１へ供給したり、停止したりする開閉機能を持つ弁機構を小型化でき、切替ユニット１４を内蔵した水栓本体部分３Ａの外径を水栓本体部分３Ｃ同様の３４ｍｍに設定できる。
【００５７】
また、切替ユニット１４の端部１４ａからオス型接続金具８９を引き抜く一方、温調ユニット１５の端部１５ａからメス型接続金具９３を引き抜いた後には、温調ユニット１５の端部１５ａを切替ユニット１４の端部１４ａに内嵌させることで手すり型水栓からサーモ型湯水混合水栓に簡単に変更できる。この逆の取り付け動作も簡単に行える。
【００５８】
【発明の効果】
以上説明したようにこの発明では、ただでさえ狭い浴室が手すりに邪魔されて狭くなる上に手すりに体が当たることがあるといった事態を回避できる。
【００５９】
すなわち、この発明では、水栓本体を筒状に形成して手すりに兼用させたので、浴室内での動作を補助できる。
【００６０】
また、この発明では、浴室の壁に新たに手すりを設ける必要がなくなり、浴室のスペースを有効に活用できるとともに、手すりに体が当たるといった事態も回避できバリアフリーとしても有効である。
【図面の簡単な説明】
【図１】  この発明の第１の実施形態を示す横断面図である。
【図２】  上記実施形態における一部を切断した正面図である。
【図３】  この発明の第２の実施形態を示す斜視図である。
【図４】  上記第２の実施形態を背面側からみた要部斜視図である。
【図５】  この発明の第３の実施形態を示す斜視図である。
【図６】          上記第３の実施形態を背面側からみた図である。
【図７】  この発明の第４の実施形態の使用状態を示す全体斜視図である。
【図８】  この発明の第５の実施形態を示す斜視図である。
【図９】  （Ａ）は、上記第２の実施形態の詳細を示す横断面図である。
（Ｂ）は、上記第２の実施形態の詳細を示す一部を切断した正面図である。
【図１０】  上記第２の実施形態の詳細の要部を示す横断面図である。
【図１１】  上記第２の実施形態の詳細の要部を示す横断面図である。
【図１２】  上記第２の実施形態の詳細の要部を示す縦断面図である。
【図１３】  上記第２の実施形態の詳細を示す分解斜視図である。
【図１４】  従来例の使用状態を示す斜視図である。
【符号の説明】
１…壁、２…水栓、３…水栓本体、１５…温調ユニット、１６…接続管、３３…スベリ止め部材、６０…浴室。
【図１】
0003713225.tif 000002
【図２】
0003713225.tif 000003
【図３】
0003713225.tif 000004
【図４】
0003713225.tif 000005
【図５】
0003713225.tif 000006
【図６】
0003713225.tif 000007
【図７】
0003713225.tif 000008
【図８】
0003713225.tif 000009
【図９】
0003713225.tif 000010
【図１０】
0003713225.tif 000011
【図１１】
0003713225.tif 000012
【図１２】
0003713225.tif 000013
【図１３】
0003713225.tif 000014
【図１４】
0003713225.tif 000015